(57)【特許請求の範囲】
【請求項１】
電動機により回転駆動する鋸刃と、前記電動機を内蔵し、前記鋸刃を回動可能に保持する本体と、下端より前記鋸刃が突出するように前記本体下方に設けられたベースと、前記本体に設けられ、前記ベース上面に位置する前記鋸刃外周のほぼ上半分を覆う形状をしたソーカバーと、前記鋸刃外周の一部を覆う形状をし、付勢手段により常時ベース下方側に位置するように付勢されたセーフティーカバーと、前記本体に設けられ、前記セーフティーカバーと接触することにより前記セーフティーカバーのベース下方側位置を規制する規制手段とを有する携帯用電動切断機であって、
起動スイッチと、前記セーフティーカバーが前記規制手段に接触した状態で第１の位置に移動する感知手段とを設け、該感知手段が第１の位置に位置し且つ前記起動スイッチが投入された際に前記電動機の起動を可能としたことを特徴とする携帯用電動切断機。
【請求項２】
前記電動機が起動した後は前記感知手段が第１の位置になくとも、前記起動スイッチが投入されている限りは前記電動機と電源との接続を維持する機能を有するリレースイッチを備えていることを特徴とする請求項１記載の携帯用電動切断機。
【請求項３】
前記セーフティーカバーが前記規制手段に接触していなくとも前記起動スイッチが投入された際に前記電動機の起動を許容する起動許容手段を設けたことを特徴とする請求項１あるいは請求項２記載の携帯用電動切断機。
【発明の詳細な説明】
【０００１】
【発明の属する技術分野】
本発明は、セーフティーカバーを備えた携帯用電動切断機（以下、携帯用電気丸鋸として説明する）に関する。
【０００２】
【従来の技術】
従来の携帯用電気丸鋸の一例を図２、図３に示す。
【０００３】
図に示すように携帯用電気丸鋸は、電動機２により回転駆動する鋸刃１と、電動機２を内蔵し、鋸刃１を回動可能に保持する本体３と、下端より鋸刃１が突出するように本体３下方に設けられたベース１１と、本体３に設けられ、ベース１１上面に位置する鋸刃１外周のほぼ上半分を覆う形状をしたソーカバー４と、鋸刃１外周の一部を覆う形状をし、付勢手段であるスプリング９により常時ベース１１下方側に位置するように付勢されたセーフティーカバー８と、本体に設けられ、セーフティーカバー８と接触することによりセーフティーカバー８のベース１１下方側位置を規制する規制手段であるストッパ１０とを備えた構成をしている。
【０００４】
図２に示すように電動機２からの動力は鋸刃１の回転軸１ａに固着された歯車５を介して鋸刃１へ伝達する構成となっており、回転軸１ａは転がり軸受け６によって回転可能に支持されており、転がり軸受け６は本体３内に固定された転がり軸受け保持部７によって保持されている。
【０００５】
上記したセーフティーカバー８は転がり軸受け保持部７外周に軸受け保持部７上を回動可能なよう設けられており、スプリング９によって常時ベース１１下方側に位置するよう付勢されており、セーフティーカバー８のベース１１下方側における位置はストッパ１０により規制され、所定の位置にて静止している。
【０００６】
上記した携帯用電気丸鋸は、図示しない起動スイッチを投入することにより鋸刃１が回転駆動し、被切断材に本体３を押し進めセーフティーカバー８を被切断材に押し当て、セーフティーカバー８をスプリング９の付勢力に抗してソーカバー４内に収納する方向に回動させることにより、鋸刃１が露出して被切断材に接触し切断を行うものである。
【０００７】
切断作業が終わり本体３を被切断材から離すと、スプリング９の付勢力によってセーフティーカバー８はストッパ１０に接触するまでベース１１下方側に回動しベース１１下方に位置する鋸刃１を覆う。
【０００８】
【発明が解決しようとする課題】
上記した従来の携帯用電気丸鋸は、起動スイッチを投入することによりセーフティーカバー８がどのような状態にあっても鋸刃１が回動を開始する構成となっており、セーフティーカバー８がストッパ１０に接触するまでベース１１下方側に回動していない状態、すなわちベース１１下方において鋸刃１が露出している状態でも鋸刃１が回動を開始してしまうものであった。
【０００９】
上記したセーフティーカバー８がストッパ１０に接触するまでベース１１下方側に回動しない状態は、例えば転がり軸受け保持部７とセーフティーカバー８との間に被切断材の切粉等が詰まり、セーフティーカバー８の回動がスムーズに行われなくなる等して起こる可能性がある。また、セーフティーカバー８が他の物体、例えば床等に接触している際に、上記した状態となることもあり、この際に不意に起動スイッチを投入してしまうと鋸刃１を破損してしまう、あるいは床等を傷つけてしまう場合があった。
【００１０】
本発明の目的は、上記欠点を解消して、セーフティーカバーがストッパに接触していない状態においては鋸刃が回転駆動を開始しないようにすることにより、鋸刃等の寿命を向上させることができる携帯用電気丸鋸を提供することである。
【００１１】
【課題を解決するための手段】
上記目的は、前記セーフティーカバーが前記規制手段に接触した状態にある時にのみ、前記電動機の起動を許容するようにすることにより達成される。
【００１２】
【発明の実施の形態】
本発明携帯用電気丸鋸の一実施形態を図１及び図２を用いて説明する。なお、図１は本発明携帯用電気丸鋸の一実施形態を示す回路図であり、外部構造においては従来の携帯用電気丸鋸と同様の構成を持つものとする。
【００１３】
図に示す２はモータ、１２はリレースイッチ、１３はランプ、１４は接触感知スイッチ、１５は起動スイッチ、１６は電源である。接触感知スイッチ１４はセーフティーカバー８とセーフティーカバー８のベース１１下方側における回動規制手段であるストッパ１０とが接触したことを感知して、接触状態にある時にはＨ端子側に位置し、非接触状態にある時にはＬ端子側に位置するものである。なお、接触感知スイッチ１４はストッパ１０に押圧力が加わることによりＨ端子側に動作するもの等が考えられる。
【００１４】
リレースイッチ１２は、接触感知スイッチ１４がＬ端子側に位置している際、すなわちセーフティーカバー８とストッパ１０とが接触していない状態では、起動スイッチ１５を投入しても電動機６が起動しないように電気的に電源１６と電動機２との回路を遮断し、接触感知スイッチ１４がＨ端子側に位置している際には電源１６と電動機２との回路を連通させ電動機２の起動を許容するものである。
【００１５】
上記リレースイッチ１２と、接触感知スイッチ１４とによって電動機２の起動制御手段は構成されている。
【００１６】
このような構成とすることにより、転がり軸受け保持部７とセーフティーカバー８との間に被切断材の切粉等が詰まり、セーフティーカバー８の回動がスムーズに行われなくなる等してベース１１下方の鋸刃１の一部がセーフティーカバー８により覆われずに露出した状態にある時には、起動スイッチ１５を投入したとしても電動機２が起動しないようにしたため、鋸刃１の寿命を低減させてしまうこと、床等を傷つけてしまうこと等を防止することができるようになる。
【００１７】
なお、上記したように接触感知スイッチ１４がＬ端子側に位置している状態の時、すなわちセーフティーカバー８がストッパ１０に接触せずにベース１１下方の鋸刃１の一部が露出している状態の時にあり、起動スイッチ１５がＯＦＦ状態にある時に動作するランプ１３を設けた構成とすることにより、起動スイッチ１５の投入前にセーフティーカバー８の回動状態、すなわちセーフティーカバー８がストッパ１０に接触しているか否かを視覚によって容易に認識することができる。なお、上記したランプ１３は視覚的にセーフティーカバー８の回動状態を教示するものであり、ランプ１３の変わりにブザー等を設け、聴覚的にセーフティーカバー８の回動状態を教示するようにしても良い。
【００１８】
なお、携帯用電気丸鋸においては、手動でセーフティーカバー８をベース１１上方側に回動させ、ベース１１下方の鋸刃１を露出させた状態にして、その後起動スイッチ１５を投入することにより電動機２を回動させて切断作業を行うことがある。上記実施形態の構成では、このような切断作業を行おうとしても、セーフティーカバー８をベース１１上方側に手動で回動させることによりセーフティーカバー８とストッパ１０とが非接触状態となり接触感知スイッチ１４がＬ端子側に位置してしまい、電動機２を起動させることができず、切断作業を行なうことができないものであった。
【００１９】
セーフティーカバー８とストッパ１０とが非接触状態にある時でも、接触感知スイッチ１４をＨ端子側に強制的に位置させる、もしくはリレースイッチ１２を動作させるスイッチ、すなわちリレースイッチ１２と接触感知スイッチ１４とからなる電動機２の起動制御手段を制御し電動機２の起動を許容させるスイッチを設けることにより、上記したような切断作業を行なうことができるようにすることができる。このような構成とした場合には、手動によってセーフティーカバー８をベース１１上方側に回動させると共に、上記接触感知スイッチ１４を強制的にＨ端子側に位置させるスイッチを動作させることにより、起動スイッチ１５を投入すれば電動機２を起動させ切断作業を行なうことができるようになる。
【００２０】
【発明の効果】
本発明によれば、セーフティーカバーが規制手段に接触した状態にある時にのみ、電動機の起動を許容するようにしたことにより、ベース下方の鋸刃の一部がセーフティーカバーにより覆われずに露出した状態にある時には起動スイッチを投入したとしても電動機が起動しないので、鋸刃の寿命を低減させてしまうこと、床等を傷つけてしまうこと等を防止することができる携帯用電気丸鋸を提供することができるようになる。
【図面の簡単な説明】
【図１】本発明携帯用電動切断機の一実施形態を示す回路図。
【図２】従来の携帯用電動切断機の一例を示す正面図。
【図３】従来の携帯用電動切断機の一例を示す要部断面側面図。
【符号の説明】
１は鋸刃、２は電動機、３は本体、４はソーカバー、５は歯車、６は転がり軸受け、７は転がり軸受け保持部、８はセーフティーカバー、９はスプリング、１０はストッパ、１１はベース、１２はリレースイッチ、１３はランプ、１４は接触感知スイッチ、１５は起動スイッチ、１６は電源である。
【図１】
0003855628.tif 000002
【図２】
0003855628.tif 000003
【図３】
0003855628.tif 000004